(57)【要約】【課題】  作業者の身長差に関わらず快適な作業性が得られ、繰り返し植え付け作業を行う際の労力軽減を図る。【解決手段】  懸垂自在な筒体１０の上部開口１０ａから苗を投入し、筒体１０の下端に取り付けた植え孔形成口１１を地中で開放して、形成された植え孔に苗を落下させる苗補植機１であって、筒体１０を伸縮自在に形成し、筒体１０に植え孔形成口１１の開閉を電動駆動する駆動部２０を装着し、駆動部２０の開閉操作スイッチ２２を筒体１０上部の把持部１２に設け、駆動部２０に導通する電源２３を作業者Ｍの腰部に搭載可能にした。【選択図】図２
0003111271.tif 000002
【実用新案登録請求の範囲】
【請求項１】
懸垂自在な筒体の上部開口から苗を投入し、該筒体の下端に取り付けた植え孔形成口を地中で開放して、形成された植え孔に苗を落下させる苗補植機であって、
前記筒体を伸縮自在に形成し、該筒体に前記植え孔形成口の開閉を電動駆動する駆動部を装着し、前記駆動部の開閉操作スイッチを前記筒体上部の把持部に設け、前記駆動部に導通する電源を作業者の腰部に搭載可能にしたことを特徴とする苗補植機。
【請求項２】
前記電源が、作業者の腰ベルトに取り付け可能であることを特徴とする請求項１に記載された苗補植機。
【考案の詳細な説明】
【技術分野】
【０００１】
本考案は、機械移植に対して補足的に行われる苗の補植作業の労力軽減を図る苗補植機に関するものである。
【背景技術】
【０００２】
現在、ビート（甜菜）やタマネギ等の根菜、キャベツ，レタス，白菜等の野菜の栽培では、全自動又は半自動の移植機を用いた機械移植栽培が定着している。この機械移植栽培では、一般に、ポット苗等の土付き苗が用いられ、各種の移植機構を備えた移植機によって、この苗を圃場の畦に等間隔で植え付けることがなされている。
【０００３】
しかしながら、このような機械移植によると、移植機の精度等によって植え付け間隔が空きすぎたり、植え付け後に苗が風に飛ばされてしまったり、或いは根付きが悪く枯れてしまったりして、本来所定間隔で植え付けられているべき苗列に欠株が生じることがしばしば起こりうる。
【０００４】
そこで、圃場での集約性を高めるために、移植機による移植作業から１，２ヶ月後に、苗列の欠株が生じていることころに個別に苗を移植する補植作業を行うことが常になっている。例えば、寒冷地のビート栽培では、２月から３月にかけてハウス栽培した苗を自動移植機で圃場に移植し、その後、苗の定着が確認できる４月末から５月初旬にかけて前述した補植作業を行うことが一般になされている。
【０００５】
この補植作業は、作業者が苗を多数収容した容器を肩に掛けて、欠株の生じている箇所を探して移動し、その箇所が見つかったところで容器内の苗を植え付けるもので、作業者にとっては、移動時の立ち作業と植え付け時の屈み作業が繰り返されるので、かなりの重労働を強いられることになる。
【０００６】
このような補植作業の労力を軽減するために、立ったままで苗を一株ずつ植え付けることができるポット苗用補植機が従来から採用されている（例えば下記特許文献１参照）。
【０００７】
この従来技術を採用した補植作業を図１によって説明すると、筒体Ｊ１の上部に取り付けられた把手Ｊ２を持って機体を懸垂し、別の手で持ったポット苗を上部開口Ｊ１ａから筒体Ｊ１内に投入すると、筒体Ｊ１底部の穿孔機Ｊ３で投入されたポット苗が一旦受け止められる。その状態で、把手Ｊ２を持って機体を押し下げて穿孔機Ｊ３を規制部材Ｊ３ａの位置まで地中に押し込む。そして、レバーＪ４を強く握りしめると、連結機構Ｊ５を介して穿孔機Ｊ３が嘴状に左右に開き、地表に植え孔が形成されると共にポット苗が放出される。そこで、レバーＪ４を握りしめたまま機体を地表から引き上げると、植え孔内に苗の植え付けがなされる。レバーＪ４を開放すると、バネＪ６によってレバーＪ４が戻されるので、穿孔機Ｊ３が元の閉じた状態に戻る。
【０００８】
【特許文献１】特開２０００−４１４２２号公報
【考案の開示】
【考案が解決しようとする課題】
【０００９】
このような従来技術によると、補植機の機体長さが固定されているので、作業者の身長が機体長さに合わない限り快適に作業を行うことができない。また、穿孔機Ｊ３を地中に押し込んで開く作業は、土中の抵抗が加わるのでかなり力の要る作業になり、苗を一株植える毎に握力，手首，腕に局部的な疲労が貯まることになるので、従来の補植機を採用しても必ずしも労力の軽減にはならない。
【００１０】
また、前述した穿孔機Ｊ３の開閉操作を電動化することが考えられるが、機体に電源等を搭載すると、その分機体重力が増すことになるので、機体を地中に押し込んで引き上げる作業に力が要ることになり、繰り返し植え付け作業を行うことを考えると、これによっても必ずしも労力の軽減にならないという問題があった。
【００１１】
本考案は、このような問題に対処することを課題とするものであり、作業者の身長差に関わらず快適な作業性が得られ、繰り返し植え付け作業を行う際の労力軽減を図ることができる苗補植機を提供することを目的とする。
【課題を解決するための手段】
【００１２】
このような目的を達成するために、本考案は、懸垂自在な筒体の上部開口から苗を投入し、該筒体の下端に取り付けた植え孔形成口を地中で開放して、形成された植え孔に苗を落下させる苗補植機であって、前記筒体を伸縮自在に形成し、該筒体に前記植え孔形成口の開閉を電動駆動する駆動部を装着し、前記駆動部の開閉操作スイッチを前記筒体上部の把持部に設け、前記駆動部に導通する電源を作業者の腰部に搭載可能にしたことを特徴とする。
【００１３】
また、前述の特徴に加えて、前記電源が、作業者の腰ベルトに取り付け可能であることを特徴とする。
【考案の効果】
【００１４】
このような特徴を有する本考案は、筒体を伸縮自在にしたので、作業者の身長に合わせて筒体を伸縮調整して、機体長さを調整することができるので、身長の大小に関わらず快適な作業性を得ることができる。
【００１５】
また、植え孔形成口の開閉を電動駆動するので、土の抵抗が加わる植え孔の形成操作を楽に行うことが可能になる。更には、植え孔形成口の開閉を電動駆動する駆動部に導通する電源を作業者の腰部に搭載できるようにしているので、懸垂される苗補植機の重量が過剰に重くなることが無く、連続した植え付け作業を楽に行うことができる。
【考案を実施するための最良の形態】
【００１６】
以下、本考案の実施形態を図面に基づいて説明する。本考案の実施形態に係る苗補植機１は、懸垂自在な筒体１０の上部開口１０ａから苗を投入し、筒体１０の下端に取り付けた植え孔形成口１１を地中で開放して、形成された植え孔に苗を落下させるものである。
【００１７】
そして、本考案の実施形態における一つの特徴は、筒体１０を伸縮自在にしている点にある。即ち、筒体１０を第１の筒体１０Ａとそれよりは大口径の第２の筒体１０Ｂとから構成し、第１の筒体１０Ａの下端を第２の筒体１０Ｂの上端から挿入してスライド自在にすると共に、くさびねじ部等による固定部１０Ｃを設けて、所定のスライド状態で固定できるようにしている。これによって、第２の筒体１０Ｂ内に挿入される第１の筒体１０Ａのスライド量を調整することで、筒体１０の長さを伸縮自在にしている。
【００１８】
また、本考案の実施形態における他の特徴は、筒体１０に植え孔形成口１１の開閉を電動駆動する駆動部２０を装着し、駆動部２０の開閉操作スイッチ２２を筒体１０上部の把持部１２に設け、駆動部２０に導通する電源２３を作業者Ｍの腰部に搭載可能にした点にある。
【００１９】
即ち、植え孔形成口１１は嘴状の開閉部材からなり、開閉機構１１Ａの動作によって開閉自在に取り付けられており、常時は閉じた状態になっているが、この開閉機構１１Ａに駆動部２０によって上下駆動される連結ロッド２１の下端を連結して、植え孔形成口１１の開閉を電動駆動できるようにしている。また、駆動部２０は配線２４を介して電源２３と導通しているが、この電源２３を作業者Ｍの腰ベルト３０に装着できるようにしている。詳しくは、図３に示すように、電源２３にベルト挿入部２３Ａを設けて、このベルト挿入部２３Ａに作業者の腰ベルトを挿入できるようにしている。
【００２０】
このような実施形態に係る苗補植機１によると、まず、筒体１０の伸縮調整を行って作業者の身長に応じて使いやすいように機体長を調整する。そして、補植箇所にたどり着いたら、把持部１２を持って機体を懸垂し、別の手で持ったポット苗等の苗を上部開口１０ａから筒体１０内に投入する。そうすると、常時閉じている筒体１０下端の植え孔形成口１１で、投入された苗が一旦受け止められるので、その状態で、把持部１２を持って機体を押し下げて植え孔形成口１１を地中に押し込む。
【００２１】
そして、把持部１２に設けられた開閉スイッチ２２を軽く握ると、駆動部２０が動作して連結ロッド２１が引かれ、植え孔形成口１１が開いて地表に植え孔が形成されると共に苗が孔内に放出される。そこで、把持部１２及び開閉スイッチ２２を握りしめたまま機体を地表から引き上げると、植え孔内に苗の植え付けがなされる。
【００２２】
これによると、筒体１０を伸縮自在にしたので、作業者Ｍの身長に合わせて筒体１０を伸縮調整して、機体長さを調整することができるので、身長の大小に関わらず快適な作業を行うことができる。また、植え孔形成口１１の開閉を電動駆動するので、土の抵抗が加わる植え孔の形成操作を楽に行うことが可能になり、また、植え孔形成口１１の開閉を電動駆動する駆動部２０に導通する電源２３を作業者Ｍの腰部に搭載できるようにしているので、懸垂される苗補植機１の重量が過剰に重くなることが無く、連続した植え付け作業を楽に行うことができる。
【００２３】
以上説明したように、本考案の実施形態に係る苗補植機１は、作業者の身長差に関わらず快適な作業性が得られ、繰り返し植え付け作業を行う際の労力軽減を図ることができる。
【図面の簡単な説明】
【００２４】
【図１】従来技術の説明図である。
【図２】本考案の実施形態に係る苗補植機の全体構成を示す説明図である。
【図３】本考案の実施形態に係る苗補植機の電源の搭載状態を示した説明図である。
【符号の説明】
【００２５】
１    苗補植機
１０ａ    上部開口
１０    筒体
１０Ａ    第１の筒体
１０Ｂ    第２の筒体
１０Ｃ    固定部
１１    植え孔形成口
１１Ａ    開閉機構
１２    把持部
２０    駆動部
２１    連結ロッド
２２    開閉スイッチ
２３    電源
２３Ａ    ベルト挿入部
２４    配線
３０    腰ベルト
【図１】
0003111271.tif 000003
【図２】
0003111271.tif 000004
【図３】
0003111271.tif 000005